(57)【特許請求の範囲】
【請求項１】
ハンドル部（１）と竿本体（２）とが分離可能に構成された釣竿において、
前記ハンドル部（１）の竿先側には、前記竿本体（２）が嵌入される嵌入孔（３）が形成される管状体（１３）、及び連結管（１６）を有し、
前記連結管（１６）には、雌ネジ部（１８）、及び凹凸係合する管状の内突起（１９）が形成され、
前記竿本体（２）の竿元側には、差込パイプ（６）が外嵌装着され、該差込パイプ（６）には係止突起（８）及び管状フランジ（９）が形成されており、かつ、前記竿本体（２）のグリップリング（１０）の竿元側には、軸方向にスライド自在及び回転自在な雄ネジ部（１１ａ）を有する締結リング（１１）が外装着され、
前記ハンドル部（１）と、前記ハンドル部（１）の嵌入孔（３）に嵌入された差込パイプ（６）が外嵌装着された竿本体（２）との相対回転が、前記連結管（１６）の係止部（２０）と前記差込パイプ（６）の係止突起（８）との凹凸係合により防止され、かつ、前記連結管（１６）と前記締結リング（１１）がねじ連結されることによって、ハンドル部（１）と竿本体（２）とが連結される、
ことを特徴とする釣竿。
【請求項２】
前記締結リング（１１）の雄ネジ部（１１ａ）を該締結リング（１１）の外周面に形成し、連結管（１６）の雌ネジ部（１８）を管状体（１３）から竿先側に突出させた突出部（１７）に形成して、前記雄ネジ部（１１ａ）に雌ネジ部（１８）を螺合させていることを特徴とする請求項１記載の釣竿。
【請求項３】
前記竿本体（２）の外周面には、前記係止突起（８）の竿先側に係止突起（８）と一体化された環状フランジ（９）が設けられ、前記ハンドル部（１）には、前記環状フランジ（９）の竿元側端面（９ａ）が当接する当て面（１９ａ）が設けられてなり、該当て面（１９ａ）に前記環状フランジ（９）の竿元側端面（９ａ）が当接することにより、前記竿本体（２）の嵌入孔（３）への嵌入が止まるようにした請求項１記載の釣竿。
【請求項４】
前記嵌入孔（３）に嵌入される竿本体（２）の嵌入部は、カーボン繊維等の強化繊維に合成樹脂が含浸されて形成された竿基部（４）に、合成樹脂製若しくは金属製の差込パイプ（６）が外嵌装着されて構成されてなり、前記差込パイプ（６）に前記係止突起（８）と環状フランジ（９）とが形成されてなる請求項３記載の釣竿。
【請求項５】
前記係止突起（８）と係止部（２０）とが前記嵌入孔（３）の開口部近傍で係合するよう、前記係止部（２０）が嵌入孔（３）の開口部近傍に設けられてなる請求項１記載の釣竿。
【請求項６】
前記管状体（１３）は、カーボン繊維等の強化繊維に合成樹脂を含浸して形成され、該管状体（１３）から前記嵌入孔（３）が構成されてなり、該管状体（１３）の竿先側端部には、管状体（１３）の竿先側端面（１３ａ）から所定長さ竿先側に突出するよう、金属製の連結管（１６）が外嵌装着されてなり、管状体（１３）から竿先側に突出した連結管（１６）の突出部（１７）に前記係止部（２０）が形成されてなり、且つ、該連結管（１６）に設けた当て面（１９ａ）に前記竿本体（２）の一部が軸方向に当接することにより、前記竿本体（２）の嵌入孔（３）への嵌入が止まるようにした請求項５記載の釣竿。
【発明の詳細な説明】
【０００１】
【発明の属する技術分野】
本発明は、ハンドル部に竿本体が抜き差し自在に嵌入される釣竿の改良に関し、特に船竿に適し、中でも、比較的大物釣りに好適な釣竿に関する。
【０００２】
【従来の技術及び発明が解決しようとする課題】
従来、この種の釣竿には、例えば、図６の如く、リールが装着されるハンドル部５１と、ガイドを備えた竿本体５２とが分離可能に構成されたものが公知である。該釣竿にあっては、竿本体５２の竿元側の嵌入部５３をハンドル部５１の竿先側に設けられた嵌入孔５４に嵌入することによって、ハンドル部５１に竿本体５２を装着でき、竿本体５２の竿元側端面５５に形成された凹溝５６を、嵌入孔５４内部に取り付けた係止ピン５７に係合させることで、竿本体５２の嵌入が止まると共にハンドル部５１に対する竿本体５２の回転を防止できる。そして、竿本体５２に回転自在に外装着された締結リング５８をハンドル部５１の雄ネジ部５９に螺合させて締め付けることで、竿本体５２の抜けが防止され、凹溝５６が係止ピン５７に押圧されてハンドル部５１と竿本体５２とが一体化される。
【０００３】
しかるに、係止ピン５７を用いて竿本体５２を係止する構成であるために、係止ピン５７を取り付けるためのハンドル部５１の加工や、係止ピン５７を取り付ける組立工程が複雑となる。
【０００４】
そこで本発明は、上記従来の問題点に鑑みてなされ、嵌入される竿本体の回転を簡易な構成で確実に防止できる釣竿を提供することを課題とする。
【０００５】
【課題を解決するための手段】
本発明は、上記課題を解決すべくなされたものであり、本発明に係る釣竿は、ハンドル部１と竿本体２とが分離可能に構成された釣竿において、前記ハンドル部１の竿先側には、前記竿本体２が嵌入される嵌入孔３が形成される管状体１３、及び連結管１６を有し、前記連結管１６には、雌ネジ部１８、及び凹凸係合する管状の内突起１９が形成され、前記竿本体２の竿元側には、差込パイプ６が外嵌装着され、該差込パイプ６には係止突起８及び管状フランジ９が形成されており、かつ、前記竿本体２のグリップリング１０の竿元側には、軸方向にスライド自在及び回転自在な雄ネジ部１１ａを有する締結リング１１が外装着され、前記ハンドル部１と、前記ハンドル部１の嵌入孔３に嵌入された差込パイプ６が外嵌装着された竿本体２との相対回転が、前記連結管１６の係止部２０と前記差込パイプ６の係止突起８との凹凸係合により防止され、かつ、前記連結管１６と前記締結リング１１がねじ連結されることによって、ハンドル部１と竿本体２とが連結される、ことを特徴とする。
前記締結リング１１の雄ネジ部１１ａを該締結リング１１の外周面に形成し、連結管１６の雌ネジ部１８を管状体１３から竿先側に突出させた突出部１７に形成して、前記雄ネジ部１１ａに雌ネジ部１８を螺合させていることが好ましい。
【０００６】
かかる構成からなる釣竿を使用するにあたってハンドル部１の嵌入孔３に竿本体２を嵌入すると、竿本体２の係止突起８がハンドル部１の係止部２０に凹凸係合し、この凹凸係合によって竿本体２の相対回転が係止部２０で係止される。
【０００７】
【発明の実施の形態】
以下、本発明に係る釣竿の一実施形態について、図１乃至図５を参酌しつつ、ハンドル部１と竿本体２とが分離可能に構成され、ハンドル部１の竿先側には、前記竿本体２が嵌入される嵌入孔３が形成されてなる釣竿について以下説明する。
【０００８】
前記竿本体２は、全長に亘って中実状に形成されてなり、具体的には、中実状のソリッド体４の外周面にプリプレグが巻装されて構成されてなる。前記プリプレグは、ソリッド体４の竿元側の所定領域を除いて巻装されてなり、また、ソリッド体４及びプリプレグは、強化繊維としてのカーボン繊維に合成樹脂が含浸されて形成されてなる。尚、図１において、５はガイドである。
【０００９】
また、竿本体２の竿元側は、ソリッド体４（竿基部）に、ガラスが所定量（３０％）含有されたポリブチレンテレフタレート（ＰＢＴ）から成形により筒状に形成された差込パイプ６が外嵌装着されてなり、差込パイプ６の竿元側端部には尻ゴム７が装着されてなり、該ソリッド体４と差込パイプ６とから、前記嵌入孔３に嵌入される竿本体２の嵌入部が構成される。尚、竿基部は、プリプレグが巻装されたソリッド体４としてもよい。
【００１０】
そして、該差込パイプ６の竿先側には、係止突起８が径方向に突設され、該係止突起８は１８０度対向して一対設けられ、該係止突起８の竿先側には環状フランジ９が形成されて、環状フランジ９と両係止突起８，８とは一体的に形成されてなる。尚、図２の如く、環状フランジ９の突出量は、係止突起８のそれよりも大きくなっている。図２（ロ）は、差込パイプ６の単体の側面図である。
【００１１】
そして、該差込パイプ６の竿先側には、竿先側端部がラッパ状に広がったテーパ鍔部１０ａを有するグリップリング１０が前記ソリッド体４に外装着され、該グリップリング１０の竿元側は前記差込パイプ６の竿先側端部に外嵌されて固定されてなる。また、該グリップリング１０には、竿先側端部外周面に雄ネジ部１１ａを有するスレンレス製の締結リング１１が回転自在に外装着されてなり、該締結リング１１は、グリップリング１０のテーパ鍔部１０ａと前記環状フランジ９との間を軸方向にスライド自在になっている。そして、該グリップリング１０の竿先側にはフロントグリップ１２が外装着されてなる。
【００１２】
次に、上記構成からなる竿本体２の前記嵌入部が嵌入されるハンドル部１について説明する。
【００１３】
該ハンドル部１は、強化繊維としてのカーボン繊維に合成樹脂が含浸されて形成された管状体１３から構成され、該管状体１３から前記嵌入孔３が構成されてなる。該管状体１３の竿先側端部には、ステンレス製の補強管１４が外嵌装着され、該補強管１４は、管状体１３より薄肉で且つ均一径のストレート管１５と、該ストレート管１５の竿先側に位置し且つストレート管１５より大径の連結管１６とから構成されてなる。
【００１４】
前記補強管１４は、図４の如く、竿本体２の嵌入部が嵌入される管状体１３の嵌入領域に略全長に亘って外嵌装着されて、該嵌入領域の管状体１３を補強する。また、前記連結管１６は、竿元側にテーパ部１６ａを有して全体として竿先側に広がった先広がり形状を呈しており、前記管状体１３の竿先側端面１３ａから所定長さ竿先側に突出するように管状体１３に外嵌装着されてなる。そして、該管状体１３から竿先側に突出した突出部１７には、図３の如く、前記締結リング１１の雄ネジ部１１ａと螺合する雌ネジ部１８が竿先側内周面に形成され、その竿元側（管状体１３の竿先側端面１３ａの手前）には、環状の内突起１９が形成されてなる。該内突起１９の竿先側端面１９ａは、竿本体２の嵌入時に前記環状フランジ９の竿元側端面９ａが当接する当て面となる。
【００１５】
また、該内突起１９には、前記係止突起８が凹凸係合する係止部としての係止用切欠２０が、内突起１９を軸方向に貫通するよう係止突起８と同様に１８０度対向して一対形成されてなる。このように、係止用切欠２０は、前記嵌入孔３の開口部近傍において係止突起８と係合するよう開口部近傍に設けられてなる。
【００１６】
更に、図５の如く、環状フランジ９が内突起１９に軸方向に当接した状態において、管状体１３の竿先側端面１３ａと係止突起８との間に軸方向に所定の間隙２１を形成できるように、内突起１９の竿先側端面１９ａと管状体１３の竿先側端面１３ａとの間の距離、及び係止突起８の軸方向長さとが設定されてなる。尚、管状体１３には、図１のように、パイプ状のリールシート２２と着脱自在な尻栓２３が設けられてなるが、図４ではリールシート２２を省略している。
【００１７】
本実施形態の釣竿は以上の構成からなり、竿本体２の嵌入部を管状体１３の竿先側に嵌入することによって、ハンドル部１に竿本体２を装着することができ、嵌入部が管状体１３と嵌合した状態で、係止用切欠２０に係止突起８が凹凸係合することにより、嵌入された竿本体２が係止用切欠２０で係止されてハンドル部１に対する相対回転が防止される。そして、係止突起８が係止用切欠２０に係合すると同時に、環状フランジ９が内突起１９に軸方向に当接して竿本体２の嵌入が止まる。
【００１８】
その後、締結リング１１の雄ネジ部１１ａを連結管１６に螺入していくと、締結リング１１の竿元側端面１１ｂが環状フランジ９をハンドル部１側へと軸方向に押圧することとなり、締結リング１１を締め付けることで、環状フランジ９が内突起１９と締結リング１１とで軸方向に押圧挟持されて、竿本体２がハンドル部１と完全に一体化してハンドル部１からの竿本体２の抜けを防止できる。逆に、使用後においては、締結リング１１を緩めて竿本体２をハンドル部１から抜くことで容易に分離することができる。
【００１９】
このように、締結リング１１を用いることで容易に分離状態と一体状態とを使い分けることができるが、当該釣竿は従来のようなピンを用いた回転防止構造に比して以下のような利点がある。
【００２０】
即ち、竿本体２とハンドル部１の管状体１３とが径方向に凹凸係合することで竿本体２の回転を防止する構成を採用しているため、従来のようなピンを別途ハンドル部１に取り付ける必要がなくなり、加工や組立が従来に比して容易となるうえに、径方向に凹凸係合するため、従来のような竿本体２の端面で係合するタイプに比してより一層確実に回転を防止でき、しかもピンを用いることによるハンドル部１の強度低下も防止できる。特に、嵌入孔３の開口部近傍で係合するため、嵌入孔３の奥で係合させる場合に比してより一層加工が容易となる。
【００２１】
また、管状体１３をカーボン製とすることでハンドル部１を軽量化できるうえに、金属製の連結管１６に当て面と係止用切欠２０とを設け、特に大きな力が作用する箇所を金属製としているため、十分な強度を確保でき、特に、ステンレス製とすることで、海釣りで特に発生しやすい腐食をも防止できる。締結リング１１も同様である。更に、環状フランジ９が内突起１９に当接して嵌入が止まる構成としているので、管状体１３の竿先側端面１３ａに竿本体２が直接当接することがなく、竿先側端面１３の割れ等の破損も防止できる利点がある。
【００２２】
一方、竿本体２側については、差込パイプ６を上記のような合成樹脂から構成する以外にも金属製とすることも可能であるが、ハンドル部１側ほど強度が必要でないことから合成樹脂を用いることで軽量化することができる。但し、このように合成樹脂から差込パイプ６を形成する場合には、吸水等が原因となる寸法の狂いを防止し、且つ必要十分な強度や耐久性を確保するために、上記のようにガラス含有のＰＢＴを採用することが好ましい。
【００２３】
更に、ソリッド体４ではなく別体の差込パイプ６に係止突起８を設けているため、ソリッド体４の外周面に直接係止突起８を突設する場合に比して大幅に加工を簡略化でき、また、環状フランジ９で係止突起８が補強されるので、係止突起８の破損も防止できる。特に、上記のように、係止突起８を複数設けた場合には、環状フランジ９で複数の係止突起８を連結することが、係止突起８の強度確保の観点から好ましい。しかも、係止突起８が管状体１３や連結管１６等のハンドル部１に軸方向に当接するのではなく、環状フランジ９が軸方向に当接する構成なるため、係止突起８自体には軸方向に大きな力が作用せず、当接時の衝撃や、竿本体２の繰り返しの抜き差し等によって係止突起８が変形したり破損したりすることを防止でき、長期間確実に凹凸係合させることができる。
【００２４】
尚、上記実施形態では、ソリッド体４や管状体１３の強化繊維としてカーボン繊維を用いたが、その他にも例えばガラス繊維を用いることも可能であり、また、竿本体２を筒状に形成してもよい。即ち、嵌入部は中空状でもよい。更に、ハンドル部１の竿先側にのみ管状体１３を設ける構成も採用できる。
【００２５】
その他、本発明の意図する範囲内で種々の設計変更が可能であり、例えば、ハンドル部１の竿先側端面（嵌入孔３の開口縁部）に軸方向に凹状の凹溝を形成し、この凹溝を係止部としたり、係止部をキー溝の如く形成することも可能である。
【００２６】
【発明の効果】
以上のように、本発明の釣竿にあっては、竿本体の回転を防止する構造として、係止突起と係止部とをそれぞれ竿本体の外周面とハンドル部に形成したので、従来のようなピンを別途嵌入孔内部に取り付ける必要がなくなり、加工や組立が従来に比して容易となるうえに、従来のように竿本体の端面で回転が止められる構成ではなく、竿本体の外周面が直接ハンドル部の係止部で係止される構成なるため、より一層確実に竿本体の回転を防止することができるという効果を奏する。
【００２７】
特に、係止突起の竿先側に環状フランジを設け、この環状フランジを係止突起と一体化することで、係止突起が補強されて係止突起の破損を防止でき、特に、係止突起を複数設ける場合に効果が大きい。更に、係止突起をハンドル部の当て面に当接させて嵌入を止める構成ではなく、環状フランジを当接させる構成なるため、当接による衝撃等で係止突起が変形したり破損したりすることを防止できるので、長期間確実に凹凸係合させることができる。
【００２８】
また更に、カーボン繊維等の強化繊維に合成樹脂が含浸されて形成された竿基部に、合成樹脂製若しくは金属製の差込パイプを外嵌装着することで竿本体の嵌入部を構成し、差込パイプに係止突起と環状フランジとを形成した場合には、係止突起等を直接竿基部に形成するのに比して加工が極めて容易となる。
【００２９】
また、係止突起と係止部とが嵌入孔の開口部近傍で係合するように係止部を嵌入孔の開口部近傍に設けた場合には、嵌入孔の奥側（竿元側）に設ける場合に比して、係止部の加工がより一層容易となる。
【００３０】
特に、カーボン繊維等の強化繊維に合成樹脂が含浸されて形成された管状体から嵌入孔を構成することで、ハンドル部を軽量化できるうえに、該管状体の竿先側端部に外嵌装着した金属製の連結管に係止部を形成することで、係止部の強度を十分に確保でき、且つ、吸水等による係止部の寸法変化も少ないことから、係合時におけるガタつきもより一層確実に防止することができる。しかも、管状体の竿先側端面を当て面とするのではなく、当て面を金属製の連結管に設けることで、竿本体の当接が要因となる管状体の竿先側端面の損傷を確実に防止できるのである。
【図面の簡単な説明】
【図１】本発明の一実施形態における釣竿の要部を示す正面図。
【図２】同実施形態の釣竿の要部を示し、（イ）は竿本体の竿元側を示す断面図、（ロ）は差込パイプを竿元側から見た側面図。
【図３】同実施形態の釣竿の要部を示し、（イ）はハンドル部を竿先側から見た側面図、（ロ）は同ハンドル部の竿先側の断面図。
【図４】同実施形態の釣竿において、ハンドル部と竿本体とを一体化した状態を示す要部断面図。
【図５】図４のＰ部拡大図。
【図６】従来の釣竿を示す要部断面図。
【符号の説明】
１…ハンドル部、２…竿本体、３…嵌入孔、４…ソリッド体（竿基部）、６…差込パイプ、８…係止突起、９…環状フランジ、９ａ…竿元側端面、１３…管状体、１３ａ…竿先側端面、１６…連結管、１７…突出部、１９…内突起、１９ａ…竿先側端面（当て面）、２０…係止用切欠（係止部）
【図１】
0004271297.tif 000002
【図２】
0004271297.tif 000003
【図３】
0004271297.tif 000004
【図４】
0004271297.tif 000005
【図５】
0004271297.tif 000006
【図６】
0004271297.tif 000007